(57)【要約】【課題】従来の赤外線による遠隔制御では、消費電力を抑えることが困難であった。【解決手段】便座を有する洗浄便座装置と、この洗浄便座装置を制御するための制御操作部を有するリモコン装置からなる洗浄便座システムにおいて、リモコン装置には、制御操作部若しくはその近傍に制御信号を送信する出力手段が設けられ、洗浄便座装置には、便座もしくはその近傍に制御信号を受信する入力手段と、出力手段から前記入力手段へ人体を介して送信される制御信号に基づいて制御動作を行う制御部とが設けられたことを特徴とする。【選択図】図４
2006207301.tif 000002
【特許請求の範囲】
【請求項１】
便座を有する洗浄便座装置と、この洗浄便座装置を制御するための制御操作部を有するリモコン装置からなる洗浄便座システムにおいて、
前記リモコン装置には、前記制御操作部若しくはその近傍に制御信号を送信する出力手段が設けられ、
前記洗浄便座装置には、前記便座もしくはその近傍に前記制御信号を受信する入力手段と、前記出力手段から前記入力手段へ人体を介して送信される前記制御信号に基づいて制御動作を行う制御部とが設けられたことを特徴とする洗浄便座システム。
【請求項２】
前記便座の内部又は背面側には、この便座を暖めるヒータの熱を拡散させる熱拡散用導電部材とが設けられ、
この熱拡散用導電部材を前記入力手段とすることを特徴とする請求項１に記載の洗浄便座システム。
【請求項３】
前記制御操作部に前記出力手段としての電極を設けたことを特徴とする請求項１又は請求項２に記載の洗浄便座システム。
【請求項４】
前記制御信号は、電気的な高周波信号で送受信されることを特徴とする請求項１〜３のいずれか１項に記載の洗浄便座システム。
【請求項５】
前記制御信号は、電波で送受信されることを特徴とする請求項１〜３のいずれか１項に記載の洗浄便座システム。
【請求項６】
前記出力手段として、半波長ダイポールアンテナを用いることを特徴とする請求項５に記載の洗浄便座システム。
【請求項７】
前記洗浄便座装置には、前記入力手段に接続された人体通信受信回路が設けられ、
この人体通信受信回路が前記制御信号を受信したとき、便座への着座を検出することを特徴とする請求項１〜６のいずれか１項に記載の洗浄便座システム。
【請求項８】
前記リモコン装置には、前記出力手段に接続された人体通信送信回路が設けられ、
この人体通信送信回路は、所定の制御信号を定期的に出力することを特徴とする請求項７に記載の洗浄便座システム。
【請求項９】
前記洗浄便座装置には、
利用者ごとに対応する設定情報を記憶する記憶部と、
受信した前記制御信号のレベルを判定する受信レベル判定部とが設けられ、
前記制御部は、前記受信レベル判定部に基づいた前記設定情報を前記記憶部から取り出して、前記設定情報に基づいた制御を行うことを特徴とする請求項１〜８のいずれか１項に記載の洗浄便座システム。
【請求項１０】
前記洗浄便座装置には、
個人識別情報別の設定情報を記憶する記憶部が設けられ、
前記制御部は、前記個人識別情報を受信すると、前記記憶部から対応する前記設定情報を取り出して、当該装置の制御量として設定することを特徴とする請求項１〜８のいずれか１項に記載の洗浄便座システム。
【請求項１１】
前記設定情報は、洗浄水吐出量、便座温度若しくは乾燥温度のうち、少なくとも一つ以上であることを特徴とする請求項９又は請求項１０に記載の洗浄便座システム。
【請求項１２】
利用者の着座を検出する着座検知センサと、
操作ガイダンス情報を報知する報知手段とを有し、
前記着座検知センサにより利用者の着座検出が行われたとき、前記報知手段から前記操作ガイダンスを報知することを特徴とする請求項１〜１１のいずれか１項に記載の洗浄便座システム。
【発明の詳細な説明】
【技術分野】
【０００１】
洗浄便座システムなどのトイレ機器システムに関し、特に便座を有する洗浄便座装置及びこの洗浄便座装置を制御するためのリモコン装置からなる洗浄便座システムに関する。
【背景技術】
【０００２】
近年、トイレの便器には、その快適さから洗浄便座装置が取り付けられてきている。
【０００３】
このような洗浄便座装置は、洗浄機能、乾燥機能、脱臭機能などの各種機能を有しており、遠隔制御装置であるリモコン装置の操作パネルに集約された操作ボタンを利用者が押下することによって、リモコン装置からの制御信号が赤外線により洗浄便座装置へ送られ、それらの機能が作動する（たとえば、特許文献１参照）。
【特許文献１】特開２００３−２９３４３４号公報
【発明の開示】
【発明が解決しようとする課題】
【０００４】
しかしながら、このようリモコン装置においては、赤外線出力用のＬＥＤによって、赤外線による通信を行っていたため、その通信による消費電力が大きかった。
【０００５】
しかも、赤外線などの光を用いた通信においては、リモコン装置との向きとの関係や障害物の存在により通信ができない場合が発生するため、複数の赤外線出力用のＬＥＤを複数の方向に向けて配置しなければならず、それによってさらに消費電力が大きくなってしまうという問題があった。
【０００６】
したがって、容量の大きな電池を使わざるを得ず、リモコン装置を小さくすることが困難であった。
【０００７】
そこで、本発明は、消費電力を抑えることができるリモコン装置を提供することを目的とする。
【課題を解決するための手段】
【０００８】
上記問題を解決するために、請求項１に記載の発明は、便座を有する洗浄便座装置と、この洗浄便座装置を制御するための制御操作部を有するリモコン装置からなる洗浄便座システムにおいて、リモコン装置には、制御操作部若しくはその近傍に制御信号を送信する出力手段が設けられ、洗浄便座装置には、便座もしくはその近傍に制御信号を受信する入力手段と、出力手段から入力手段へ人体を介して送信される制御信号に基づいて制御動作を行う制御部とが設けられたことを特徴とする。
【０００９】
また、請求項２に記載の発明は、請求項１に記載の発明において、便座の内部又は背面側には、この便座を暖めるヒータの熱を拡散させる熱拡散用導電部材とが設けられ、この熱拡散用導電部材を入力手段とすることを特徴とする。
【００１０】
また、請求項３に記載の発明は、請求項１又は請求項２に記載の発明において、制御操作部に出力手段としての電極を設けたことを特徴とする。
【００１１】
また、請求項４に記載の発明は、請求項１〜３のいずれか１項に記載の発明において、制御信号は、電気的な高周波信号で送受信されることを特徴とする。
【００１２】
また、請求項５に記載の発明は、請求項１〜３のいずれか１項に記載の発明において、制御信号は、電波で送受信されることを特徴とする。
【００１３】
また、請求項６に記載の発明は、請求項５に記載の発明において、出力手段として、半波長ダイポールアンテナを用いることを特徴とする。
【００１４】
また、請求項７に記載の発明は、請求項１〜６のいずれか１項に記載の発明において、洗浄便座装置には、入力手段に接続された人体通信受信回路が設けられ、この人体通信受信回路が制御信号を受信したとき、便座への着座を検出することを特徴とする。
【００１５】
また、請求項８に記載の発明は、請求項７に記載の発明において、リモコン装置には、出力手段に接続された人体通信送信回路が設けられ、この人体通信送信回路は、所定の制御信号を定期的に出力することを特徴とする。
【００１６】
また、請求項９に記載の発明は、請求項１〜８のいずれか１項に記載の発明において、洗浄便座装置には、利用者ごとに対応する設定情報を記憶する記憶部と、受信した制御信号のレベルを判定する受信レベル判定部とが設けられ、制御部は、受信レベル判定部に基づいた設定情報を記憶部から取り出して、設定情報に基づいた制御を行うことを特徴とする。
【００１７】
また、請求項１０に記載の発明は、請求項１〜８のいずれか１項に記載の発明において、洗浄便座装置には、個人識別情報別の設定情報を記憶する記憶部が設けられ、制御部は、個人識別情報を受信すると、記憶部から対応する設定情報を取り出して、当該装置の制御量として設定することを特徴とする。
【００１８】
また、請求項１１に記載の発明は、請求項９又は請求項１０に記載の発明において、設定情報は、洗浄水吐出量、便座温度若しくは乾燥温度のうち、少なくとも一つ以上であることを特徴とする。
【００１９】
また、請求項１２に記載の発明は、請求項１〜１１のいずれか１項に記載の発明において、利用者の着座を検出する着座検知センサと、操作ガイダンス情報を報知する報知手段とを有し、着座検知センサにより利用者の着座検出が行われたとき、報知手段から操作ガイダンスを報知することを特徴とする。
【発明の効果】
【００２０】
請求項１に記載の発明によれば、便座を有する洗浄便座装置と、この洗浄便座装置を制御するための制御操作部を有するリモコン装置からなる洗浄便座システムにおいて、リモコン装置には、制御操作部若しくはその近傍に制御信号を送信する出力手段が設けられ、洗浄便座装置には、便座もしくはその近傍に制御信号を受信する入力手段と、出力手段から入力手段へ人体を介して送信される制御信号に基づいて制御動作を行う制御部とが設けられたので、洗浄便座システム利用時に、利用者の人体が洗浄便座装置に確実にかつ最も近接すると共にその近接面積も広い便座部分及び制御操作部若しくはそれらの近傍を人体通信に利用することによって、微弱電流でリモコン制御を行うことができる。
【００２１】
また、請求項２に記載の発明によれば、便座の内部又は背面側には、この便座を暖めるヒータの熱を拡散させる熱拡散用導電部材とが設けられ、この熱拡散用導電部材を入力手段とするので、制御信号の入力手段を新たに設ける必要が無く、コストが抑制できるのに加え取付工数も削減することができる。
【００２２】
また、請求項３に記載の発明によれば、制御操作部に出力手段としての電極を設けたので、リモコン装置の制御信号を出力する部分に、利用者の人体が接触することになるため、制御信号の出力レベルを小さくすることが可能となる。
【００２３】
また、請求項４に記載の発明によれば、制御信号は、電気的な高周波信号で送受信されるので、人体との静電結合によって、制御信号を微弱な電流で送受信することができる。
【００２４】
また、請求項５に記載の発明によれば、制御信号は、電波で送受信されるので、出力手段又は入力手段が人体と一体となってアンテナして電波を受信することによって、制御信号を微弱な電流で送受信することができる。
【００２５】
また、請求項６に記載の発明によれば、出力手段として、半波長ダイポールアンテナを用いるので、容易に出力手段を設けることができる。
【００２６】
また、請求項７に記載の発明によれば、洗浄便座装置には、入力手段に接続された人体通信受信回路が設けられ、この人体通信受信回路が制御信号を受信したとき、便座への着座を検出するので、着座検知用センサを別途設ける必要が無い。
【００２７】
また、請求項８に記載の発明によれば、リモコン装置には、出力手段に接続された人体通信送信回路が設けられ、この人体通信送信回路は、所定の制御信号を定期的に出力するので、着座検知用センサを別途設ける必要が無い。
【００２８】
また、請求項９に記載の発明によれば、洗浄便座装置には、利用者ごとに対応する設定情報を記憶する記憶部と、受信した制御信号のレベルを判定する受信レベル判定部とが設けられ、制御部は、受信レベル判定部に基づいた設定情報を記憶部から取り出して、設定情報に基づいた制御を行うので、制御信号を用いて利用者の識別を行い、その識別に応じた制御を行うことができるため、利便性を向上させることができる。
【００２９】
また、請求項１０に記載の発明によれば、洗浄便座装置には、個人識別情報別の設定情報を記憶する記憶部が設けられ、制御部は、個人識別情報を受信すると、記憶部から対応する設定情報を取り出して、当該装置の制御量として設定するので、ＲＦタグなどから利用者の識別を行い、その識別に応じた制御を行うことができるため、利便性を向上させることができる。
【００３０】
また、請求項１１に記載の発明によれば、設定情報は、洗浄水吐出量、便座温度若しくは乾燥温度のうち、少なくとも一つ以上であるので、利用者の識別情報によって、その利用者に応じた制御量の制御を行うことが容易となる。
【００３１】
また、請求項１２に記載の発明によれば、利用者の着座を検出する着座検知センサと、操作ガイダンス情報を報知する報知手段とを有し、着座検知センサにより利用者の着座検出が行われたとき、報知手段から操作ガイダンスを報知するので、洗浄便座装置の利用が初めてであっても、容易に洗浄便座装置を利用することができる。
【発明を実施するための最良の形態】
【００３２】
（実施形態１）
以下、本発明の実施の形態について、図面を参照しながら説明する。
【００３３】
図１は、トイレブースに設置された本発明の実施形態１に係る洗浄便座システムＳを示す図である。
【００３４】
図１に示すように、本発明の実施形態における洗浄便座システムＳは、トイレブースに設置された洗浄便座装置１と、この洗浄便座装置１を遠隔的に制御するためのリモコン装置２とから構成される。
【００３５】
洗浄便座装置１は、便器３上に設置され、各種機能を制御するための制御部等を有する洗浄便座装置本体４と、洗浄便座装置本体４に回動可能に連結された便座５と、同じく洗浄便座装置本体４に回動可能に連結された便蓋６とから構成される。
【００３６】
また、リモコン装置２は、トイレブースの着脱自在に壁面10に取り付けられており、洗浄便座装置１の利用者７は、便座５に着座した状態で壁面10に取り付けられた状態や壁面10から取り外された状態でリモコン装置２を操作する。
【００３７】
まず、洗浄便座装置１の全体構成について、図面を参照して説明する。
【００３８】
図２は、本発明の実施形態１に係る洗浄便座装置のブロック構成図である。
【００３９】
図２に示すように、洗浄便座装置１は、便座５を暖めるための便座ヒータ51と、この便座ヒータ51の温度を測定するための便座サーミスタ52と、便座ヒータ51が所定以上の高温になるとこの便座ヒータ51への通電を遮断するための便座温度ヒューズ53と、リモコン装置２から送信される制御信号を、利用者７の人体を介して受信する入力手段54と、この入力手段54で受信した制御信号を復調する人体通信受信回路70と、便座５に人が着座したことを検出する着座検知センサ71と、濡れた臀部等を乾燥させるために乾燥ヒータ73で熱した空気を吹き出すための乾燥モータ72と、乾燥ヒータ73の温度を検出するための乾燥サーミスタ74と、洗浄便座装置１の動作状態などを表示するための表示部75と、ブザーを出力するためのブザー部76と、臀部等を洗浄するために温水を噴出するための洗浄ノズル（図示せず）を動作させるノズルモータ77と、洗浄ノズルから噴出させる温水を作るために水を熱する温水ヒータ78と、温水ヒータ78で熱せられる水の温度を測定するための温水サーミスタ79と、各種設定情報が記憶される記憶部80と、洗浄便座装置１全体を制御する制御部81とから構成される。
【００４０】
次に、入力手段54及び人体通信受信回路70について、図面を参照して説明する。
【００４１】
図３は本発明の実施形態１に係る人体通信受信回路のブロック構成図、図４は本発明の実施形態１に係る便座の背面図（便座背面カバー60をはずした状態）、図５は本発明の実施形態１に係る便座の断面図である。
【００４２】
図３に示すように、人体通信受信回路70は、入力手段54から受信した電波信号からノイズを取り除くためのバンドパスフィルタ（Ｂ．Ｐ．Ｆ）55と、バンドパスフィルタ55でフィルタリングした後の信号を増幅するためのプリアンプ56と、プリアンプ56から出力される信号を局部発信回路58から出力される特定周波数信号を出力してミキシングするミキサ57と、ミキサ57から出力された信号を復調する復調回路59とから構成される。
【００４３】
そして、図４に示すように、便座５の背面側、すなわち利用者７の着座する面と反対側の面（以下、「便座背面」とする。）には、便座５を暖めるための便座ヒータ51、この便座ヒータ51の温度を測定するための便座サーミスタ52と、便座ヒータ51が所定以上の高温になると便座ヒータ51への通電を遮断するための便座温度ヒューズ53と、便座ヒータ51の熱を拡散するために便座背面の略全面に貼り付けられた本発明の熱拡散用導電部材である熱拡散用導電シート54aとが設けられている。
【００４４】
なお、図５に示すように、便座ヒータ51や熱拡散用導電シート54aは、便座５と便座背面カバー60とによって覆われ、保護されている。
【００４５】
ここで、熱拡散用導電シート54aは、便座を暖めるだけではなく、入力手段54としても動作し、この熱拡散用導電シート54aは、人体通信受信回路70に接続されている。そして、熱拡散用導電シート54aは、人体通信受信回路70から電気的な高周波信号として送信される制御信号を、利用者７の人体を介して受信する。
【００４６】
この熱拡散用導電シート54aは、洗浄便座装置１を利用者７が使用しているときに、利用者７の体に極めて近接する位置にあり、その近接する面積も多いため、利用者７の人体と熱拡散用導電シート54aとの間に静電容量が生じることから、この静電容量を介して、リモコン装置２から送信される制御信号を受信するものである。
【００４７】
このように構成しているので、リモコン装置２から出力される制御信号は微弱なものであっても、熱拡散用導電シート54aにより構成された入力手段54で受信することができる。
【００４８】
しかも、便座５を暖めるための熱拡散用導電シート54aを通信手段として使用しているため、新たな部材が必要とならず、コスト低減に加え、取り付け工数も削減することができる。
【００４９】
なお、熱拡散用導電シート54a及び便座ヒータ51を便座背面に配置することにしているが、便座５の内部に埋め込むようにしてもよい。
【００５０】
このようにすれば、利用者７の人体と熱拡散用導電シート54aとの間の静電容量を大きくすることができるため、より微弱な電波でも受信することができる。
【００５１】
なお、熱拡散用導電シート54aしては、アルミシートなどの熱伝導率、耐熱性がよいものが望ましく、また便座背面側に取り付けが可能なように容易に変形できるシート状のものが望ましい。
【００５２】
また、便座ヒータ51は、熱拡散用導電シート54aと共に便座５全体を暖めることができるように、おおよそ便座背面側の全体に配置されており、又、便座ヒータ51と熱拡散用導電シート54aとは絶縁状態を保つようにその間に絶縁部材が設けられている。
【００５３】
次に、リモコン装置２について図面を参照して説明する。
【００５４】
図６は本発明の実施形態１に係るリモコン装置のブロック図、図７は本発明の実施形態１に係るリモコン装置の正面図である。
【００５５】
図６に示すように、リモコン装置２は、洗浄機能ボタン、乾燥ボタン、マッサージボタン、洗浄水量制御ボタン、洗浄水温度制御ボタン、乾燥風量制御ボタン、乾燥温度制御ボタンなどの各種ボタンを含む制御操作部22と、時刻や制御内容を表示するための表示部23と、各種設定内容などを記憶する記憶部24と、洗浄便座装置本体４へ制御信号を変調等する送信する人体通信送信回路25と、リモコン装置２全体の制御を統括する制御部26と、制御信号を出力する出力手段29とから構成される。なお、人体通信送信回路25には、制御信号を変調する変調回路27と、変調した制御信号を増幅する増幅回路28とを有している。
【００５６】
また、リモコン装置２は、図７に示すように、略箱状の形状をしており、その筐体前面には、操作パネルとして制御操作部22や表示部23などが設けられている。
【００５７】
次に、リモコン装置２の出力手段29について、図面を参照して説明する。
【００５８】
図８は本発明の実施形態１に係るリモコン装置の制御操作部の断面図である。
【００５９】
図８に示すように、制御操作部22は、メンブレンスイッチなどのシート状ボタンとして構成されており、樹脂シートで構成される表面シート221、保護シート(スペーサ)222、背面シート224及び接点シート223として構成され、一方、これらのシートに挟み込まれる位置に配置された出力手段29としての導電性の導電シート29aとから構成される。
【００６０】
また、表面シート221は、入力ボタンとして機能する凸部221aを有し、この凸部221aは、制御操作部22の外側に向かって凸状に形成されると共に、その内側には、印刷されたカーボン接点225を有している。一方、接点シート223には、凸部221aのカーボン接点225と対向する位置に、印刷されたカーボン接点226を有している。
【００６１】
そして、洗浄便座装置１の利用者７が、表面シート221の凸部221aを押下することによって、カーボン接点225がカーボン接点226に圧着され、これにより制御部26は、制御操作部22が押下されたと判断し、押下された制御操作部22のボタンの種類に応じた制御を行うことになる。
【００６２】
たとえば、制御操作部22としておしり洗浄ボタンが押下されたと制御部26が判定すると、制御部26は、洗浄便座装置１に送信するための制御信号である臀部洗浄命令を生成し、人体通信送信回路25へ出力する。
【００６３】
そして、人体通信送信回路25は、制御部26から受信した制御信号を変調及び増幅し、出力手段である導電シート29aに出力する。
【００６４】
ここで、導電シート29aに出力された制御信号は、利用者７の指先から臀部にかけてその皮膚表面等を流れて、洗浄便座装置１に送られることになる。
【００６５】
すなわち、利用者７が制御操作部22を押下している状態では、利用者７の指先が導電シート29aと近接して容量結合し、導電シート29aと制御操作部22との間のこの静電容量を介して制御信号が人体を通じて洗浄便座装置１へ流れることになる。
【００６６】
このように、リモコン装置２の出力手段29と利用者７の人体との間の静電容量と、利用者７の人体と洗浄便座装置１の入力手段54との間の静電容量とを利用して、リモコン装置２から出力される制御信号を洗浄便座装置１へ送信することができるため、制御信号を微弱電流とすることができ、リモコン装置２の消費電力を抑えることができる。
【００６７】
しかも、シート状の制御操作部22内部に出力手段29を取り付けているから、出力手段29のスペースを最小限に抑えることができると共に、利用者７の人体との近接面積を可及的に広く取ることができる。
【００６８】
さらに、便座背面に入力手段54を取り付けているから、便座５の空きスペースを利用することができるとともに、利用者７の人体との近接面積を可及的に広く取ることができる。
【００６９】
したがって、リモコン装置２の消費電力を大幅に抑えることができ、又リモコン装置２の電池を長時間取り替える必要がなくなり、利用者７の利便性を向上することができる。
【００７０】
なお、シート状の制御操作部22及び出力手段29の構成を、図８に示す構成に代えて、図９に示す構成にすることもできる。図９は本発明の実施形態１に係るリモコン装置の制御操作部の断面図である。
【００７１】
すなわち、導電シート29aを表面シート221の裏面とスペーサ222との間に配置するのではなく、図９に示すように、表面シート221の表面側に配置するものである。
【００７２】
このように、制御操作部22の表面に導電シート29aを配置しているため、リモコン装置２の利用者７は、制御操作部22を押下するときに、導電シート29aと接触することになり、利用者７の人体と導電シート29aが導通することになる。すなわち、導電シート29aが電極として機能する。
【００７３】
したがって、静電容量による結合に比べ、より安定した通信を行うことができる。
【００７４】
以上のように構成された洗浄便座システムについて、図面を参照してその動作を具体的に説明する。
【００７５】
図10は本発明の実施形態１に係るリモコン装置２の動作フローチャート、図11は本発明の実施形態１に係る洗浄便座装置１の動作フローチャートである。
【００７６】
まず、洗浄便座装置１の便座５に利用者７が着座すると、着座検知センサ71によって利用者７の着座が検出される（ステップＳ10：Ｙ）。
【００７７】
そして、利用者７の着座が検出されると、制御部81は、記憶部80の制御値領域に記憶されている制御値をデフォルト値に設定する（ステップＳ11）。ここで、デフォルト値とは、各機能の制御量を標準値にすることであり、例えば、洗浄水の吐出量を“レベル３（中）”にする、温水の温度を“レベル３（中）”にする等である。
【００７８】
その後、着座検知センサ71によって利用者７が便座５から離れたことが検出される（ステップＳ12：Ｙ）まで、制御部81は、リモコン装置２から送信される制御信号を待ち受ける（ステップＳ13）。
【００７９】
利用者７は、リモコン装置２の制御操作部を押下する（ステップＳ１：Ｙ）と、リモコン装置２の制御部26は、押下されたボタンに応じた制御信号を生成（ステップＳ２）し、生成した制御信号を出力手段29から出力する（ステップＳ３）。
【００８０】
このようにしてリモコン装置２から制御信号が送信される（ステップＳ13：Ｙ）と、その制御信号は、利用者７の人体を介して、人体通信受信回路70に送られると共に、本発明の受信レベル判定部として機能する人体通信受信回路70によって、その制御信号の電圧値が測定される（ステップＳ14）。
【００８１】
このように制御信号の電圧値を測定するのは、利用者７を識別するためである。すなわち、利用者７によって、指先から臀部にかけての抵抗値が異なることから、制御信号が人体通信受信回路70で受信されるまでに人体の抵抗値による電圧降下も利用者７によって異なり、その電圧降下若しくは人体通信受信回路70で受信する電圧を測定することによって利用者７を識別するためである。
【００８２】
そして、制御部81は、設定された制御信号の電圧値に対応する設定情報が、記憶部80の設定情報領域に記憶されているか否かが判定される（ステップＳ15）。
【００８３】
例えば、測定された電圧値が1.6Vである場合、制御部81は、1.6±0.2Vの電圧値が記憶部80の設定情報領域に設定されているか否かを判定する。そして、制御部81は、設定されていると判定すると、その電圧値に対応する設定情報（洗浄の吐出強度、温水の温度など）を取り出して、記憶部80の制御値領域に設定する（ステップS16）。
【００８４】
次に、制御部81によって、その制御信号が設定要求か否かが判定され（ステップＳ17）、制御部81が、受信した制御信号が設定要求であると判定する（ステップＳ17：Ｙ）と、その制御信号の電圧値と、記憶部80の制御値領域に記憶されている制御値とを関連付けて、記憶部80の設定情報領域に記憶する（ステップＳ20）。
【００８５】
一方、受信した制御信号が設定要求でなく、制御値変更要求の場合（ステップＳ18：Ｙ）、制御部81は、その要求に従って記憶部80の制御値領域に記憶されている制御値を変更する（ステップＳ21）。たとえば、その制御値変更要求が、洗浄水の吐出強度をアップする要求である場合には、制御部81は、記憶部80の制御値領域に記憶されている吐出強度のレベルに＋１インクリメントした値を記憶部80の制御値領域に再設定する。
【００８６】
また、受信した制御信号が設定要求でも制御変更要求でもない場合（ステップＳ19：Ｎ）、制御信号に対応する制御の制御量を記憶部80の制御値領域から取り出し、その取り出した制御量により要求された制御を行う。たとえば、制御信号が、洗浄要求である場合、制御部81は、記憶部80の制御値領域に設定された洗浄水の吐出強度を取り出して、その洗浄水の吐出強度に従って、洗浄を行う。
【００８７】
このように制御信号を用いて利用者７の識別を行うことができるため、その利用者７の好みに応じた各種機能の制御量（例えば、洗浄水の吐出量や温水の温度など）を毎回設定する必要が無く、利便性を向上させることができる。
【００８８】
なお、本実施の形態１では、制御信号の電圧値を測定して、利用者７の識別を行うこととしたが、人体通信受信回路70によって制御信号の電流値を測定することにより利用者７の識別を行うようにしてもよい。
【００８９】
また、人体通信受信回路70によって制御信号の電圧値及び電流値の両方を測定して利用者７を識別するようにしてもよい。このようにすれば、より正確な利用者７の識別を行うことができる。
【００９０】
また、利用者７の識別を、制御信号の測定によって行うのではなく、ＲＦタグやＩＣタグなどを用いて行うようにしてもよい。このようにＲＦタグなどによって利用者７の識別を行う動作について、図面を参照して具体的に説明する。
【００９１】
なお、記憶部80には、利用者７の個人識別情報に各々対応する制御量の初期値設定情報を記憶されているものとする。
【００９２】
図12は本発明の実施形態１に係る洗浄便座装置の動作フローチャートである。
【００９３】
まず、洗浄便座装置１の便座５に利用者７が着座すると、着座検知センサ71によって利用者７の着座が検出される（ステップＳ30：Ｙ）。
【００９４】
そして、利用者７の着座が検出されると、制御部81は、記憶部80の制御値領域に記憶されている制御値をデフォルト値に設定する（ステップＳ31）。ここで、デフォルトの値とは、各機能の制御量を標準値にすることであり、例えば、洗浄水の吐出量を“レベル３（中）”にする、温水の温度を“レベル３（中）”にする等である。
【００９５】
その後、着座検知センサ71によって、利用者７が便座５から離れたことが検出される（ステップＳ32：Ｙ）まで、制御部81は、利用者７の識別の判定を行う。
【００９６】
すなわち、制御部81は、タグ検出回路（図示せず）によって、利用者７が所持しているＲＦタグやＩＣタグなどから個人識別情報を取得する（ステップＳ33：Ｙ）と、この取得した個人識別情報が、記憶部80の個人情報領域に存在するか否かを判定すると共に、個人識別情報が存在する場合には（ステップＳ34：Ｙ）、その個人識別情報に対応する設定情報を記憶部80から取り出し、記憶部80の制御値領域に設定する（ステップＳ35）。そして、制御部81は、その制御値に従って、制御動作を行う（ステップＳ36）。
【００９７】
また、ステップＳ33にて個人識別情報を取得できなかった場合や、ステップＳ34にて個人識別情報が存在しない場合には、記憶部80の制御値領域に設定されている制御値に応じて制御動作が行われる。
【００９８】
なお、ステップＳ31にて、利用者７の着座の検出を着座検知センサ71で行うこととしたが、ＲＦタグやＩＣタグを検出することによって、着座を検出するようにしてもよい。
【００９９】
また、設定情報として、洗浄水の吐出量や温水の温度を例として挙げたが、これに限られることはなく、例えば、乾燥風量、乾燥温度、便座温度なども含む。
【０１００】
また、ステップＳ10やステップＳ30で、制御部81は、利用者７の着座を検出すると、本発明の報知手段である、リモコン装置２又は洗浄便座装置１の音声ガイダンス部（図示せず。）から、リモコン装置２の操作手順、すなわち操作ガイダンスを音声として出力することもできる。
【０１０１】
このように音声ガイダンスを出力するようにすれば、洗浄便座装置１の利用が初めてであっても、容易に洗浄便座装置１を利用することができる。
【０１０２】
特に、洗浄便座装置１を使用した利用者７の個人識別情報を記憶部80に記憶しておき、制御部81がこの記憶部80に記憶していない個人識別情報を持つ利用者７が着座したと判定したときにのみ、音声ガイダンスを出力するようにすればよい。
【０１０３】
このようにすれば、何度もこの洗浄便座装置１を使用して利用者７に対して音声ガイダンスを出力することはないから、洗浄便座装置１を利用するたびに音声ガイダンスが流れて、利用者７に不快感を与えるということを回避することができる。なお、記憶部80に記憶している個人識別情報をもつ利用者７が着座したときであっても、その着座した回数が所定回数以内のときでも、音声ガイダンスを出力するようにしてもよい。
【０１０４】
また、音声ガイダンスに加え又は音声ガイダンスに代えて、表示部にリモコン装置２の操作手順、すなわち操作ガイダンスを表示するようにしてもよい。
（実施の形態２）
実施の形態１では、リモコン装置２と利用者７の人体との間、及び利用者７の人体と洗浄便座装置１との間の静電結合を利用して、制御信号の送受信を行った。すなわち、リモコン装置２の出力手段29と洗浄便座装置１の入力手段54とに利用者７の人体を静電結合させ、利用者７の人体の指先から臀部にかけて制御信号の電流を流すことによって、制御信号をリモコン装置２から洗浄便座装置１に伝達するようにしたが、本実施の形態２では、利用者７の人体をアンテナの一部として利用するものである。
【０１０５】
なお、リモコン装置２及び洗浄便座装置１の構成及びその動作は基本的に実施の形態１と同等のため、実施の形態１と異なる部分以外の説明は省略する。
【０１０６】
まず、リモコン装置２の出力手段29を送信アンテナとして制御信号を電波として出力し、その電波を洗浄便座装置１の入力手段54と利用者７の人体とから構成される受信アンテナで受信する洗浄便座システムＳについて、図面を参照して説明する。
【０１０７】
図13は本発明の実施形態２に係るリモコン装置の断面図、図14は本発明の実施形態２に係る便座の背面図（便座背面カバー60をはずした状態）である。
【０１０８】
図13に示すように、リモコン装置２の制御操作部の近傍下部には、出力手段29としての半波長ダイポールアンテナ29bがリモコン装置２の前面部分と平行に配置されており、人体通信送信回路25から出力される制御信号を電波として出力する。
【０１０９】
一方、洗浄便座装置１の入力手段54である熱拡散用導電シート54aは、図14に示すように、便座５の略楕円形状を一周するようにループ状に形成して、ループアンテナとして機能させており、利用者７の人体と静電結合することにより、熱拡散用導電シート54aのループアンテナと利用者７の人体とにより一体の受信アンテナが構成される。
【０１１０】
以上のように構成された洗浄便座システムＳについて、その動作を、図面を参照して説明する。
【０１１１】
図15は本発明の実施形態２に係るリモコン装置の動作フローチャート、図16は本発明の実施形態２に係る洗浄便座装置の動作フローチャートである。
【０１１２】
トイレブースの利用者７が便座５に着座する前、リモコン装置２の制御部26は、一定間隔で制御信号として着座検知用信号を送信する（ステップＳ40、Ｓ41）。また、制御操作部22が押下される（ステップＳ42）と、制御部26は、その押下された制御操作部22に応じた制御信号を生成（ステップＳ43）し、その制御信号を半波長ダイポールアンテナ29bから電波として出力する（ステップＳ44）。
【０１１３】
一方、洗浄便座装置１の制御部81は、リモコン装置２から制御信号として着座検知用信号を、利用者７の人体及び熱拡散用導電シート54aから構成される受信アンテナで受信すると（ステップＳ51）、利用者７が着座したと判定し、便座ヒータ51の制御等を着座モードに変更すると共に、リモコン装置２から各種の機能制御要求を示す制御信号の受付を開始する（ステップＳ52）。
【０１１４】
ここで、リモコン装置２から送信される電波は、利用者７が着座しない状態では、人体通信受信回路70では受信することができないが、利用者７が便座に着座するとその人体がアンテナの一部を構成することによって人体通信受信回路70が電波を受信することができる強度の電波とする。
【０１１５】
次に、制御部81は、タイマをＸに設定して、タイマのカウントを開始（ステップＳ53）し、そのカウントがＸになる（ステップＳ57：Ｙ）までに、リモコン装置２から着座検知用信号を受信しなければ（ステップＳ55：Ｎ）、利用者７が便座５から離れたと判定し、リモコン装置２からの機能制御要求を示す制御信号の受付を終了する（ステップＳ58）。
【０１１６】
一方、制御部81は、カウントがＸになるまでに（ステップＳ57：Ｎ）、リモコン装置２から着座検出用信号としての制御信号を受信すると（ステップＳ55：Ｙ）、利用者７が着座中であると判定する。
【０１１７】
また、制御部81は、機能制御要求を示す制御信号の受付を開始（ステップＳ52）してから終了（ステップＳ58）するまでの間は、リモコン装置２からの送信される制御信号を受け付け（ステップＳ54：Ｙ）、その制御信号に従った動作を行う（ステップＳ56）。
【０１１８】
このようにリモコン装置２は一定間隔で着座検知用信号を出力し、洗浄便座装置１は、利用者７が着座したときに、人体をアンテナの一部としてその着座検知用信号としての制御信号を受信することができるので、着座検知センサを設ける必要が不要となる。
【０１１９】
また、リモコン装置２から送信される信号は、人体をアンテナの一部としたときのみ受信できる程度の電波強度でよいため、消費電力も削減することともできる。
【０１２０】
なお、図17は本発明の実施形態２に係る便座の背面図（便座背面カバー60をはずした状態）であり、この図17に示すように、熱拡散用導電シート54aを、便座５の前端部側を開口した略楕円形状とするとともに、便座５の後端部側の一点から人体通信受信回路70に接続するようにすることによって、ダイポールアンテナとして機能させるようにすることもできる。
【０１２１】
このように、便座５を暖めるための熱拡散用導電シート54aを受信アンテナとして使用しているため、新たな部材が必要とならず、コスト低減に加え、取り付け工数も削減することができる。
【０１２２】
しかも、熱拡散用導電シート54aは、洗浄便座装置１を利用者７が使用しているときに、利用者７の体に極めて近接する位置すると共に、その近接する面積も大きいため、利用者７の人体との静電結合も強いため、人体をアンテナの一部としてリモコン装置２からの電波を受信することができる。
【０１２３】
また、熱拡散用導電シート54aを便座背面に配置することにしているが、便座５の内部に埋め込むようにしてもよい。
【０１２４】
このようにすれば、人体と熱拡散用導電シート54aとの間隔が近接するため、より微弱な電波であっても受信することができる。
【０１２５】
また、上述の構成では、熱拡散用導電シート54aと利用者７の人体により受信アンテナを構成することとしたが、リモコン装置２の出力手段と利用者７の人体とによって送信アンテナを構成し、その送信アンテナから出力される電波を、熱拡散用導電シート54aを受信アンテナとして制御信号を受信するようにしてもよい。
【０１２６】
このときの出力手段29は、図８や図９に示すように、利用者７の指先と直接又は静電結合することによって、人体と一体となった送信アンテナを構成する。
【０１２７】
なお、熱拡散用導電シート54aは、図14のようにループアンテナとしてもよく、図17のようにダイポールアンテナとしてもよい。
【０１２８】
また、本実施の形態２では、便座５の背面に入力手段54を配設することとしたが、便座５近傍の洗浄便座装置本体４や便蓋６に入力手段54を配設するようにしてもよい。
【図面の簡単な説明】
【０１２９】
【図１】トイレブースに設置された本発明の実施形態１に係る洗浄便座システムを示す図。
【図２】本発明の実施形態１に係る洗浄便座装置のブロック構成図。
【図３】本発明の実施形態１に係る人体通信受信回路のブロック構成図。
【図４】本発明の実施形態１に係る便座の背面図。
【図５】本発明の実施形態１に係る便座の断面図。
【図６】本発明の実施形態１に係るリモコン装置のブロック図。
【図７】本発明の実施形態１に係るリモコン装置の正面図。
【図８】本発明の実施形態１に係るリモコン装置の制御操作部の断面図。
【図９】本発明の実施形態１に係るリモコン装置の制御操作部の断面図。
【図１０】本発明の実施形態１に係るリモコン装置の動作フローチャート。
【図１１】本発明の実施形態１に係る洗浄便座装置の動作フローチャート。
【図１２】本発明の実施形態１に係る洗浄便座装置の動作フローチャート。
【図１３】本発明の実施形態２に係るリモコン装置の断面図。
【図１４】本発明の実施形態２に係る便座の背面図。
【図１５】本発明の実施形態２に係るリモコン装置の動作フローチャート。
【図１６】本発明の実施形態２に係る洗浄便座装置の動作フローチャート。
【図１７】本発明の実施形態２に係る便座の背面図。
【符号の説明】
【０１３０】
１  洗浄便座装置
２  リモコン装置
５  便座
７  利用者
２９  出力手段
２９ａ  導電シート
２９ｂ  半波長ダイポールアンテナ
５４  入力手段
５４ａ  熱拡散用導電シート
【図１】
2006207301.tif 000003
【図２】
2006207301.tif 000004
【図３】
2006207301.tif 000005
【図４】
2006207301.tif 000006
【図５】
2006207301.tif 000007
【図６】
2006207301.tif 000008
【図７】
2006207301.tif 000009
【図８】
2006207301.tif 000010
【図９】
2006207301.tif 000011
【図１０】
2006207301.tif 000012
【図１１】
2006207301.tif 000013
【図１２】
2006207301.tif 000014
【図１３】
2006207301.tif 000015
【図１４】
2006207301.tif 000016
【図１５】
2006207301.tif 000017
【図１６】
2006207301.tif 000018
【図１７】
2006207301.tif 000019